(57)【要約】【課題】歩行型耕耘機において、左右耕耘前カバーを簡単な構成で強固に支持する。【解決手段】走行伝動ケース６と耕耘用伝動ケース８を一体構成する。走行伝動ケース６の後側上部で且つ耕耘用伝動ケース８の上部近傍に設けた左右取付部３１，３１に、耕耘装置９の前側部を覆う左右耕耘前カバー２３ａ，２３ａ、及び、前後方向に沿い耕耘用伝動ケース８の上方を覆う耕耘上部フレーム２４を共締めして取り付ける。耕耘上部フレーム２４に左右耕耘カバー２３ｂ，２３ｂをヒンジ３２，３２により上下回動自在に支持し、左右耕耘カバー２３ｂ，２３ｂの左右両側に左右サイドカバー２３ｃ，２３ｃをヒンジ３２，３２により上下回動自在に支持し、左右耕耘カバー２３ｂ，２３ｂの後側端部に左右リヤーカバー２３ｄ，２３ｄを取り付ける。【選択図】図２
2008161061.tif 000002
【特許請求の範囲】
【請求項１】
エンジン（Ｅ）からの動力を変速装置、走行伝動装置を経由して左右車輪（７，７）に伝達する走行伝動ケース（６）と耕耘装置（９）を下部に設けた耕耘用伝動ケース（８）とを一体構成した耕耘機において、前記走行伝動ケース（６）の後側上部で且つ耕耘用伝動ケース（８）の上部近傍に設けた左右取付部（３１，３１）に、前記耕耘装置（９）の前側部を覆う左右耕耘前カバー（２３ａ，２３ａ）と、前記耕耘用伝動ケース（８）の上方を覆う前後方向に沿った耕耘上部フレーム（２４）の前側部とを共締めして取り付け、前記耕耘上部フレーム（２４）の左右両側に前記耕耘装置（９）の上方を蓋う左右耕耘カバー（２３ｂ，２３ｂ）をヒンジ（３２，３２）により上下回動自在に支持し、前記左右耕耘カバー（２３ｂ，２３ｂ）の左右両側に前記耕耘装置（９）の左右両側を蓋う左右サイドカバー（２３ｃ，２３ｃ）をヒンジ（３２，３２）により上下回動自在に支持し、前記左右耕耘カバー（２３ｂ，２３ｂ）の後側端部に左右リヤーカバー（２３ｄ，２３ｄ）を取り付けたことを特徴とする耕耘機。
【請求項２】
前記左右耕耘前カバーカバー（２３ａ，２３ａ）、左右耕耘サイドカバー（２３ｃ，２３ｃ）及び左右リヤーカバー（２３ｄ，２３ｄ）の隣接部を、柔軟姓材からなる左右の前後覆い板（３３，３３，３４，３４）により連結し、前記耕耘前カバーカバー（２３ａ，２３ａ）及び左右リヤーカバー（２３ｄ，２３ｄ）の左右端部には、前記左右の前後覆い板（３３，３３，３４，３４）の内側への回動するのを阻止する左右の前後ストッパ（３５，３５，３６，３６）を設けたことを特徴とする請求項１記載の耕耘機。
【発明の詳細な説明】
【技術分野】
【０００１】
本発明は、歩行型耕耘機の耕耘カバーに関するものである。
【背景技術】
【０００２】
歩行型耕耘機において、ミッションケース、走行車輪へ動力を伝達する駆動輪チエンケース及びロータリ伝動ケースを一体構成し、ロータリチエンケースの上部より水平方向に突出したロータリフレームに、ロータリカバーを取り付けるように構成したものは公知である（特許文献１）。
【特許文献１】特開２０００−１６６３０３号公報
【発明の開示】
【発明が解決しようとする課題】
【０００３】
前記従来技術では、ロータリチエンケースの上部より水平方向にロータリフレームを突出し、このロータリフレームに前側取付部及び後側取付部を取り付け、前側取付部に耕耘装置の前側部を蓋う前側ロータリカバーを、後側取付部に耕耘装置の後側上方を蓋うロータリカバーを取り付ける構成である。従って、ロータリフレームには、前側ロータリカバー及び後側ロータリカバーの取付部を必要とし、ロータリカバーの取付構成が複雑になるという問題があった。そこで、この発明はこのような問題点を解決しようとするものである。
【課題を解決するための手段】
【０００４】
請求項１の発明は、エンジン（Ｅ）からの動力を変速装置、走行伝動装置を経由して左右車輪（７，７）に伝達する走行伝動ケース（６）と耕耘装置（９）を下部に設けた耕耘用伝動ケース（８）とを一体構成した耕耘機において、前記走行伝動ケース（６）の後側上部で且つ耕耘用伝動ケース（８）の上部近傍に設けた左右取付部（３１，３１）に、前記耕耘装置（９）の前側部を覆う左右耕耘前カバー（２３ａ，２３ａ）と、前記耕耘用伝動ケース（８）の上方を覆う前後方向に沿った耕耘上部フレーム（２４）の前側部とを共締めして取り付け、前記耕耘上部フレーム（２４）の左右両側に前記耕耘装置（９）の上方を蓋う左右耕耘カバー（２３ｂ，２３ｂ）をヒンジ（３２，３２）により上下回動自在に支持し、前記左右耕耘カバー（２３ｂ，２３ｂ）の左右両側に前記耕耘装置（９）の左右両側を蓋う左右サイドカバー（２３ｃ，２３ｃ）をヒンジ（３２，３２）により上下回動自在に支持し、前記左右耕耘カバー（２３ｂ，２３ｂ）の後側端部に左右リヤーカバー（２３ｄ，２３ｄ）を取り付けたことを特徴とする耕耘機とする。
【０００５】
前記構成によると、走行伝動ケース（６）に耕耘上部フレーム（２４）と共締めして取り付けられている左右耕耘前カバー（２３ａ，２３ａ）により、耕耘装置（９）により逆転耕耘された耕土は上方に案内され、また、左右耕耘前カバー（２３ａ，２３ａ）と共締めして取り付けられている耕耘上部フレーム（２４）により、左右耕耘カバー（２３ｂ，２３ｂ）は支持され、左右耕耘カバー（２３ｂ，２３ｂ）により左右サイドカバー（２３ｃ，２３ｃ）は支持される。
【０００６】
請求項２の発明は、前記左右耕耘前カバー（２３ａ，２３ａ）、左右耕耘サイドカバー（２３ｃ，２３ｃ）及び左右リヤーカバー（２３ｄ，２３ｄ）の隣接部を、柔軟性材からなる左右の前後覆い板（３３，３３，３４，３４）により連結し、前記耕耘前カバーカバー（２３ａ，２３ａ）及び左右リヤーカバー（２３ｄ，２３ｄ）の左右端部には、前記左右の前後覆い板（３３，３３，３４，３４）の内側への回動するのを阻止する左右の前後ストッパ（３５，３５，３６，３６）を設けたことを特徴とする請求項１記載の耕耘機とする。
【０００７】
前記構成によると、請求項１の発明の前記作用に加えて、左右耕耘サイドカバー（２３ｃ，２３ｃ）及び左右の前後覆い板（３３，３３，３４，３４）は、左右耕耘前カバーカバー（２３ａ，２３ａ）及び左右リヤーカバー（２３ｄ，２３ｄ）の左右端部に取り付けられている左右の前後ストッパ（３５，３５，３６，３６）により、内側への回動が阻止される。
【発明の効果】
【０００８】
請求項１の発明は、左右耕耘前カバー（２３ａ，２３ａ）を簡単な構成で強固に支持することができる。
請求項２の発明は、請求項１の発明の前記効果に加えて、左右耕耘サイドカバー（２３ｃ，２３ｃ）及び左右の前後覆い板（３３，３３，３４，３４）と耕耘装置（９）の耕耘爪との干渉を防止することができる。
【発明を実施するための最良の形態】
【０００９】
以下図面に基づきこの発明の実施の形態について説明する。
図１にはこの発明を具備した歩行型耕耘機の側面図が図示されている。先ず初めに、歩行型耕耘機Ｔの全体構成について説明する。
【００１０】
歩行型耕耘機Ｔのフレーム構成は、走行伝動ケース６の前側下部からエンジン取付フレーム１を前方に向けて延出し、同フレーム１にエンジンＥを搭載し、同フレーム１の前側端部にバンパ兼用のウエイト２を取り付けている。また、エンジンＥの上方には燃料タンク３を配設し、燃料タンク３内の燃料を燃料パイプ（図示省略）、フィルタ（図示省略）等を経由してエンジンＥの燃焼室に送り込むように構成している。
【００１１】
また、前記走行伝動ケース６の下側部に左右の車輪７，７を配設し、走行伝動ケース６の後側上部から一体構成の耕耘用伝動ケース８を後斜め下方に向けて延出し、耕耘用伝動ケース８の下部には耕耘軸、耕耘爪からなる耕耘装置９を設けている。また、エンジンＥの回転動力を伝動ケース１０内のベルト伝動装置を経由して走行伝動ケース６に伝達し、更に、走行伝動ケース６内の変速装置、走行伝動装置（図示省略）を経由して左右車輪７，７に伝達し、耕耘用伝動ケース８内の耕耘伝動装置（図示省略）を経由して耕耘装置９に伝達している。
【００１２】
また、走行伝動ケース６の後側上部には、平面視でループ状のハンドル１２を設け、このハンドル１２には、走行伝動装置（図示省略）の走行用クラッチを常時切り方向に付勢する所謂デッドマンクラッチレバー１３を設け、このデッドマンクラッチレバーはハンドル１２に沿うよう下方に操作している間だけ、走行クラッチを入りにする構成である。
【００１３】
また、ハンドル１２の下部左右一側には変速レバー５を設け、変速レバー５を変速ガイドカバー１４の変速溝に沿って操作することにより、走行伝動ケース６内の変速装置を高低に変速すると共に、耕耘用伝動ケース８内の耕耘伝動装置の回転方向を切り替え、耕耘装置９をダウンカット回転あるいはアップカット回転するように構成している。
【００１４】
次に、歩行型耕耘機Ｔの耕耘部２１について説明する。
耕耘部２１の左右方向中心部に前記耕耘用伝動ケース８を配設し、同ケース８に耕耘深度設定具となる抵抗棒２２、耕耘カバー２３、耕耘軸や多数の耕耘爪からなる耕耘装置９を設けている。耕耘用伝動ケース８の後側下部から後上方に向けて耕耘下部フレーム２６を延出し、耕耘下部フレーム２６の後端部に支持筒２７を設け、この支持筒２７に抵抗棒２２を挿通支持し、支持ピンにより上下調節自在に支持している。
【００１５】
次に、図２乃至図４に基づき耕耘部２１の耕耘カバー２３について説明する。
走行伝動ケース６の後側上部で耕耘用伝動ケース８の上部近傍には、走行伝動ケース６と一体構成に左右取付部３１，３１を設けている。この左右取付部３１，３１は、後上り傾斜に板体で構成されていて、この左右取付部３１，３１には、左右方向に沿うように左右耕耘前カバー２３ａ，２３ａを配設して耕耘装置９の前側部を覆うように構成し、また、前後方向に沿うように板状の耕耘上部フレーム２４を配設して、耕耘用伝動ケース８の上方を覆うように構成し、左右耕耘前カバー２３ａ，２３ａと耕耘上部フレーム２４とを、ボルト・ナットで共締めし取り付け、耕耘上部フレーム２４の後側部を前記耕耘下部フレーム２６により支持している。
【００１６】
この耕耘上部フレーム２４の左右両側には、左右耕耘カバー２３ｂ，２３ｂをヒンジ３２，３２により上下回動自在に支持し、左右耕耘カバー２３ｂ，２３ｂの左右両側に左右サイドカバー２３ｃ，２３ｃをヒンジ３２，３２により支持し、左右耕耘カバー２３ｂ，２３ｂの後側端部に左右リヤーカバー２３ｄ，２３ｄを取り付け、耕耘上部フレーム２４の後側端部に中央リヤーカバー２３ｅを取り付け、左右リヤーカバー２３ｄ，２３ｄの間隔部を覆うように構成している。
【００１７】
また、左右耕耘前カバー２３ｂ，２３ｂの左右両側部と左右耕耘サイドカバー２３ｃ，２３ｃの前側端部間を、ゴム等の柔軟姓材からなる扇形状の左右前覆い板３３，３３により連結し、左右リヤー耘前カバー２３ｂ，２３ｂの左右両側部と左右耕耘サイドカバー２３ｃ，２３ｃの後側端部間を、ゴム等の柔軟姓材からなる扇形状の左右後覆い板３４，３４により連結している。そして、左右耕耘前カバー２３ｂ，２３ｂの左右両端部に左右前ストッパ３５，３５を設け、また、左右リヤーカバー２３ｄ，２３ｄの左右端部に左右後ストッパ３６，３６を設け、左右前覆い板３３，３３及び左右後覆い板３４，３４が耕耘装置９側に回動するのを阻止し、耕耘爪に干渉しないように構成している。
【００１８】
前記構成によると、左右耕耘前カバー２３ａ，２３ａの取付構成を簡単にしながら強固に支持することができる。
また、耕耘上部フレーム２４の左右両側に左右耕耘カバー２３ｂ，２３ｂをヒンジ３２，３２により上下回動自在に支持するにあたり、図６及び図７に示すように、耕耘上部フレーム２４の下面に板体３９を接合し、この板体３９の下面に左右ヒンジ３２，３２の内側取付板３２ａ，３２ａを取り付け、耕耘上部フレーム２４の前後方向に沿う左右外側端縁にヒンジ３２，３２の軸支部３２ｂ，３２ｂを沿わせ、左右ヒンジ３２，３２の外側取付板３２ｃ，３２ｃに左右耕耘カバー２３ｂ，２３ｂを取り付けている。
【００１９】
このように構成することにより、耕耘上部フレーム２４、左右耕耘カバー２３ｂ，２３ｂ、左右ヒンジ３２，３２の取付部分にから耕耘土壌がこぼれたり、詰まることがなくなり、左右耕耘カバー２３ｂ，２３ｂを円滑に開閉することができる。
【００２０】
また、図６及び図８に示すように、中央リヤーカバー２３ｅの下側部中央には、上下整地板４１，４１を挟むようにボルト・ナットで取り付け、中央リヤーカバー２３ｅの錘体にしている。また、中央リヤーカバー２３ｅの上側部には前記作業機装着用の穴４２を構成し、耕耘上部フレーム２４の後側端部にゴム板４３を取り付け、中央リヤーカバー２３ｅの作業機装着用の穴４２を塞ぐように構成している。
【００２１】
前記構成によると、耕耘土壌の中央部が盛り上がると、上下整地板４１，４１により押え込み耕耘跡を平らにすることができる。また、ヒッチ３８に作業機を取り付けない場合には、中央リヤーカバー２３ｅの穴４２をゴム板４３で塞ぎ、耕耘土壌が飛散を防止することができる。
【００２２】
また、図８に示すように、耕耘用伝動ケース８から後方に向けて延出した耕耘下部フレーム２６の後端部に支持筒２７を設け、この支持筒２７に抵抗棒２２を挿通支持し、支持筒２７の前側部に設けた固定ボルト３７により上下調節自在に取り付けるように構成している。また、支持筒２７の上側部から後方に向けて作業機取付用のヒッチ３８を延出し、このヒッチ３８に尾輪や培土器を取り付けるように構成している。また、支持筒２７の前側部に固定ボルト３７を設け、後側に作業機取付用のヒッチ３８を設けたので、ヒッチ３８に作業機を取り付ける際に、固定ボルト３７が邪魔にならずに取り付けることができる。
【００２３】
次に、図９及び図１０に基づき耕耘装置９の他の実施形態について説明する。
左右耕耘軸５１，５１を左右内側耕耘軸５１ａ，５１ａと左右外側耕耘軸５１ｂ，５１ｂに分割構成し、左右内側耕耘軸５１ａ，５１ａの外側部に左右外側耕耘軸５１ｂ，５１ｂの内側部を嵌合し、ピンにより着脱可能に連結している。これら左右内側耕耘軸５１ａ，５１ａ及び左右外側耕耘軸５１ｂ，５１ｂの爪ホルダに複数の板状耕耘爪５２，…を取り付けている。
【００２４】
この板状耕耘爪５２，５２は、図９（Ｂ）に示すように、側面視で、板体の基端部を回転方向に幅狭に構成し、基端部から中途部にかけて順次回転方向に幅広になるように構成し、中途部から先端部にかけて順次幅狭になるように構成している。そして、前後方向の回転面を基準として、先端部を左右一側に屈曲する先端屈曲部５２ａに構成し、その先端屈曲部５２ａを左右外側に向けるように耕耘軸５１に取り付けている。
【００２５】
また、板体内側面の放射方向中途部には、正回転方向上手側から下手側中途部に向けて左右外側に傾斜する正転傾斜面５２ｂを構成し、また、中途部から正回転方向下手側に向けて脹らみを順次閉じるような逆転傾斜面５２ｃを構成している。そして、この正転傾斜面５２ｂの正回転上手側端部と逆転傾斜面５２ｃの正回転下手側端部とを結ぶ直線と、左右耕耘軸５１，５１の軸心線に直交する回転基準面とのなす角度をα（例えば５度）とし、逆転傾斜面５２ｃと前記回転基準面とのなす角度をβ（例えば８度）とし、傾斜角度α＜傾斜角度βとなるように耕耘軸５１に取り付けている。
【００２６】
前記構成によると、正転耕耘時には、板状耕耘爪５２の正転傾斜面５２ｂは略回転方向に沿うように真っ直ぐに土中に入り込み、板状耕耘爪５２の内側面の傾斜角度αと小さいので、土の左右外側への移動を少なくしながら正転耕耘をすることができる。
【００２７】
また、逆転耕耘時には、板状耕耘爪５２の大きく傾斜している逆転傾斜面５２ｃが土に入り込み土を左右外側に大きく移動させ、これに続く板状耕耘爪５２の正転傾斜面５２ｂが土中から抜けるときには、先端屈曲部５２ａの左右外側への押圧作用により、土を左右外側に大きく放擲して盛り上げ、耕耘用伝動ケース８の下方に大きな溝を形成しながら、左右両側に大きな畦を形成することができる。
【００２８】
また、左右耕耘軸５１，５１を左右内側耕耘軸５１ａ，５１ａに左右外側耕耘軸５１ｂ，５１ｂに連結した状態では、耕耘用伝動ケース８の下方に広い溝を形成しながら大きな畦を形成し、また、図１０に示すように、左右内側耕耘軸５１ａ，５１ａから左右外側耕耘軸５１ｂ，５１ｂを取り外した状態では、左右車輪７，７の間隔を変えることなく、耕耘用伝動ケース８の下方に狭い溝を形成しながら小さな畦を形成することができる。
【００２９】
次に、図１１に基づき車軸耕耘型耕耘機の左右転輪５６，５６について説明する。耕耘伝動ケース５７の上部から前方に突設したエンジンフレーム５８にはエンジンＥを搭載し、耕耘伝動ケース５７の上部からハンドル５９を後側上方に向けて延出し、耕耘伝動ケース５７の下部には耕耘装置９を設けている。耕耘装置９の上方を耕耘カバー２３で覆い、耕耘カバー２３の後部に設けた後ヒッチ６０には培土器等の作業機を取り付け、後ヒッチ６０の下方に設けた後車輪取付部６４には、左右転輪５６，５６付きの左右支持棒６１，６１を上下回動調節自在に支持している。また、エンジンフレーム５８の前側部には前車輪取付部６２を設け、後車輪取付部６４から取り外した左右転輪５６，５６付きの左右支持棒６１，６１を、車輪取付部６２に上下回動調節自在に取り付けるように構成している。
【００３０】
前記構成によると、左右転輪５６，５６を機体の後側に取り付けた場合には、左右車輪５６，５６を上方回動状態として耕耘作業を行い、下方回動状態としハンドル５９を押し下げて耕耘装置９を浮かしながら路上走行することができる。また、左右転輪５６，５６を機体の前側に取り付けた場合には、左右車輪５６，５６を上昇回動位置の２か所で耕耘作業を行い、下降回動位置の２か所で路上走行をすることができる。
【図面の簡単な説明】
【００３１】
【図１】耕耘機の側面図
【図２】耕耘機後部の側面図
【図３】耕耘機後部の拡大側面図
【図４】耕耘機後部の平面図
【図５】耕耘機後部の側面図
【図６】耕耘機後部の背面図
【図７】耕耘機後部の拡大背面図
【図８】耕耘機後部の側面図
【図９】（Ａ）耕耘装置の背面図          （Ｂ）耕耘爪の平面図
【図１０】耕耘機の背面図
【図１１】耕耘機の側面図
【符号の説明】
【００３２】
Ｅ        エンジン
６        走行伝動ケース
７        車輪
８        耕耘用伝動ケース
９        耕耘装置
２３ａ        耕耘前カバーカバー
２３ｂ        左右耕耘カバー
１２ｃ        左右サイドカバー
２３ｄ        左右リヤーカバー
２４          耕耘上部フレーム
３１          取付部
３２          ヒンジ
３３          前覆い板
３４          後蓋い板
３５          前ストッパ
３６          後ストッパ
【図１】
2008161061.tif 000003
【図２】
2008161061.tif 000004
【図３】
2008161061.tif 000005
【図４】
2008161061.tif 000006
【図５】
2008161061.tif 000007
【図６】
2008161061.tif 000008
【図７】
2008161061.tif 000009
【図８】
2008161061.tif 000010
【図９】
2008161061.tif 000011
【図１０】
2008161061.tif 000012
【図１１】
2008161061.tif 000013